(57)【要約】  【課題】  簡易な構造で製造コストを低減させることができると共に、取り外しも容易な掛け留め具用係止具を提供する。  【解決手段】  掛け留め具用係止具１０は、掛け留め具を構成する線材の外周を把持する把持部１と、この把持部１の両端部１ａ、１ｂから連続して延出し、有孔ボード等の孔に挿入される２つの脚部２ａ、２ｂと、この２つの脚部２ａ、２ｂの端部１２ａ、１２ｂに形成された２つの係止部３ａ、３ｂとを有しており、２つの脚部２ａ、２ｂの間隔は、端部１２ａ、１２ｂ側が広くなるように形成されている。【選択図】図１
0003208838.tif 000002
【実用新案登録請求の範囲】
【請求項１】
掛け留め具を構成する線材の外周を把持する把持部と、
前記把持部の両端部から連続して延出し、有孔ボード等の板材に穿設された孔に挿入される２つの脚部と、
前記２つの脚部の端部に形成された２つの係止部とを有し、
前記２つの脚部の間隔は、端部側が広くなるように形成されていることを特徴とする掛け留め具用係止具。
【請求項２】
２つの係止部は、各々の脚部の長手方向に対して９０度以下の角度で外側に曲げられていることを特徴とする請求項１に記載の掛け留め具用係止具。
【請求項３】
弾性を有する部材により形成されていることを特徴とする請求項１又は２に記載の掛け留め具用係止具。
【請求項４】
把持部の脚部との境界部分の内側には、突起が形成されていることを特徴とする請求項１〜３のいずれか１項に記載の掛け留め具用係止具。
【請求項５】
掛け留め具用係止具は、合成樹脂により成形されていることを特徴とする請求項１〜４のいずれか１項に記載の掛け留め具用係止具。
【請求項６】
把持部は、略円形状であって、その外径は、取り付けられる有孔ボード等の孔の直径よりも大きく成形されていることを特徴とする請求項１〜５のいずれか１項に記載の掛け留め具用係止具。
【考案の詳細な説明】
【技術分野】
【０００１】
本考案は、有孔ボード等の孔に挿入されて設置される掛け留め具が、孔から抜け落ちるのを防止するための係止具に関するものである。
【背景技術】
【０００２】
従来から、様々な掛け留め具が考案されており、例えば、中空筒状であって、一方の端部に鍔部を備えたカラーと、リング状の掛止部と、一対の固定部とを備えた形状記憶合金により成形された掛け金具とからなるものが知られている（特許文献１）。
【０００３】
上記特許文献１に記載の掛け金具は、図６に示すように、有孔ボード２１の孔２２にカラー２３を挿入した後、カラー２３の中空部に掛け金具の固定部２４を挿入した状態で所定温度以上の常温に放置すると、固定部２４の先端が、有孔ボード２１の裏面において外側に屈曲することによって、有孔ボード２１に掛け金具３０が固定されるものである。
【先行技術文献】
【特許文献】
【０００４】
【特許文献１】実開昭６３−６６９８１号公報
【考案の概要】
【考案が解決しようとする課題】
【０００５】
しかしながら、特許文献１に記載の掛け金具は、形状記憶合金で成形されていることから、製造コストが高くなるものであった。また、掛け金具を有孔ボードから取り外したい場合には、固定部を所定温度よりも低い状態に冷やした後に、外力を加えて真っ直ぐな状態に戻す必要があり、手間がかかるものであった。
【０００６】
本考案は、上記従来の考案が有する課題を解決するためになされたものであり、簡易な構造で製造コストを低減させることができると共に、取り外しも容易な掛け留め具用係止具を提供することを目的とする。
【課題を解決するための手段】
【０００７】
請求項１の掛け留め具用係止具の考案では、掛け留め具を構成する線材の外周を把持する把持部と、前記把持部の両端部から連続して延出し、有孔ボード等の板材に穿設された孔に挿入される２つの脚部と、前記２つの脚部の端部に形成された２つの係止部とを有し、前記２つの脚部の間隔は、端部側が広くなるように形成されていることを特徴としている。
【０００８】
したがって、有孔ボード等の孔に掛け留め具用係止具の脚部が挿入されると共に、脚部の端部に形成された係止部が、有孔ボード等の板材の裏面に当接して係止することから、掛け留め具が有孔ボード等の板材から外れるのを防ぐことができる。また、外力によって脚部の間隔を狭めた後に、把持部側を引っ張ることによって、係止部を孔の内部に移動させることができるので、掛け留め具及び掛け留め具用係止具の取り外しを容易に行うことができる。また、掛け留め具用係止具を再利用することもできる。
【０００９】
また、請求項２の掛け留め具用係止具の考案では、請求項１の考案において、２つの係止部は、各々の脚部の長手方向に対して９０度以下の角度で外側に曲げられていることを特徴としている。したがって、係止部を有孔ボード等の板材の裏面に確実に当接させることができる。
【００１０】
また、請求項３の掛け留め具用係止具の考案では、請求項１又は２の考案において、弾性を有する部材により形成されていることを特徴としている。したがって、取り外し時の脚部の変形が容易となり、掛け留め具及び掛け留め具用係止具の取り外しを容易に行うことができる。
【００１１】
また、請求項４の掛け留め具用係止具の考案では、請求項１〜３のいずれかの考案において、把持部の脚部との境界部分の内側には、突起が形成されていることを特徴としている。したがって、掛け留め具用係止具を取り付けた状態では、掛け留め具を構成する線材が、把持部から外れるのを防ぐことができる。
【００１２】
また、請求項５の掛け留め具用係止具の考案では、請求項１〜４のいずれかの考案において、掛け留め具用係止具は、合成樹脂により成形されていることを特徴としている。したがって、加工が容易であり、安価に大量生産することができるので、製造コストを低減させることができる。
【００１３】
また、請求項６の掛け留め具用係止具の考案では、請求項１〜５のいずれかの考案において、把持部は、略円形状であって、その外径は、取り付けられる有孔ボード等の孔の直径よりも大きく成形されていることを特徴としている。したがって、掛け留め具用係止具の把持部が有孔ボード等の板材に形成されている孔の内部に進入するのを防ぐことができる。
【考案の効果】
【００１４】
請求項１の考案は、掛け留め具が有孔ボード等の板材から外れるのを防ぐことができると共に、掛け留め具及び掛け留め具用係止具の取り外しを容易に行うことができる。また、掛け留め具用係止具を再利用することもできる。
【００１５】
請求項２の考案は、係止部を有孔ボード等の板材の裏面に確実に当接させることができる。また、請求項３の考案は、掛け留め具及び掛け留め具用係止具の取り外しを容易に行うことができる。さらに、請求項４の考案は、掛け留め具を構成する線材が、把持部から外れるのを防ぐことができる。
【００１６】
請求項５の考案は、掛け留め具用係止具の製造コストを低減させることができる。また、請求項６の考案は、掛け留め具用係止具の把持部が有孔ボード等の板材に形成されている孔の内部に進入するのを防ぐことができる。
【図面の簡単な説明】
【００１７】
【図１】（ａ）本考案に係る掛け留め具用係止具の第１実施形態を示す平面図。（ｂ）同正面図。
【図２】本考案に係る掛け留め具用係止具の使用状態を示す説明図。
【図３】本考案に係る掛け留め具用係止具の使用状態を示す説明図。
【図４】本考案に係る掛け留め具用係止具の使用状態を示す説明図
【図５】本考案に係る掛け留め具用係止具の第２実施形態を示す平面図。
【図６】従来の掛け留め具の使用状態を示す断面図。
【考案を実施するための形態】
【００１８】
次に、本考案の実施形態を図面に基づいて説明する。図１（ａ）は、本考案に係る掛け留め具用係止具の第１実施形態を示す平面図であり、図１（ｂ）は、同正面図である。これらの図を用いて、第１実施形態の掛け留め具用係止具について説明する。
【００１９】
第１実施形態の掛け留め具用係止具１０は、掛け留め具を構成する線材の外周を把持する把持部１と、この把持部１の両端部１ａ、１ｂから連続して延出し、有孔ボード等の孔に挿入される２つの脚部２ａ、２ｂと、この２つの脚部２ａ、２ｂの端部１２ａ、１２ｂに形成された２つの係止部３ａ、３ｂとを有している。尚、掛け留め具を構成する線材は、３．５ｍｍ〜４．０ｍｍの太さの金属製の線材が好ましく、更には、ニッケルで表面処理された鉄線材が好ましい。
【００２０】
また、２つの脚部２ａ、２ｂの間隔は、端部１２ａ、１２ｂ側が広くなるように形成されている。掛け留め具用係止具１０は、弾性を有する部材で成形されるのが好ましく、ポリプロピレン等の合成樹脂であれば透明で目立ち難く、更に好ましい。
【００２１】
また、２つの係止部３ａ、３ｂは、各々の脚部２ａ、２ｂの長手方向に対して９０度以下の角度で外側に曲げられているのが好ましい。このように構成することによって、係止部３ａ、３ｂを有孔ボード等の板材の裏面に確実に当接させることができる。
【００２２】
尚、把持部１は、略円形状であって、その外径は、取り付けられる有孔ボード等の孔の直径よりも大きく成形されている。これにより、掛け留め具用係止具１０の把持部１が取り付けられる有孔ボード等の板材に形成されている孔の内部に進入するのを防いでいる。尚、有孔ボードは、孔の内径が、５．０ｍｍ〜６．０ｍｍのものが市販されているので、これを利用することができる。
【００２３】
図２は、有孔ボードに各種掛け留め具を設置し、本発明に係る掛け留め具用係止具１０を取り付けた状態を示す斜視図である。また、図３は、有孔ボードの背面側を示す図であり、図４は、本発明に係る掛け留め具用係止具１０の係止状態を示す断面図である。これらの図を用いて、第１実施形態の掛け留め具用係止具１０の使用例について説明する。
【００２４】
有孔ボード４には、孔５ａ、５ｂ、５ｃ・・・が穿孔されている。この複数の孔５ａ、５ｂ、５ｃの大きさは全て同じにしている。
【００２５】
掛け留め具６ｂは、図３に示すように、端部１６ａ、１６ｂが、孔５ａ、５ｂに挿入された後、有孔ボード４の裏面４ｂに対して略平行となるように折り曲げられて設置されている。また、掛け留め具用係止具１０は、係止部３ａ、３ｂが有孔ボード４の裏面４ｂに当接している。尚、有孔ボード４の板厚を薄くした場合には、係止部３ａ、３ｂが有孔ボード４の裏面４ｂに当接しない場合も想定されるが、この場合も本考案に含まれる。
【００２６】
尚、図２に示すように、掛け留め具用係止具１０は、予め掛け留め具６ａの所定位置に把持部１を取り付けた状態にしておいて、掛け留め具６ａの端部を孔に５ｃに挿入した後、掛け留め具用係止具１０の係止部及び脚部を孔５ｂに挿入する手順で設置すれば容易に設置することができる。尚、掛け留め具６ａの形状によっては、まず、掛け留め具６ａを有孔ボード４に取り付けた後に、掛け留め具用係止具１０の把持部１を、掛け留め具６ａに取り付けた方がよい場合もある。
【００２７】
そして、掛け留め具用係止具１０及び掛け留め具６ａを有孔ボード４から取り外す場合には、図４に示すように、把持部１側から両端部１ａ、１ｂを、２本の指の指先又は爪でつまんで、矢印ＡＢ方向、即ち、脚部２ａ、２ｂの内側が接する方向に外力を加えて変形させると共に、把持部１を有孔ボード４の表面４ａから離れる方向に引っ張ることによって、孔５ａから掛け留め具用係止具１０を取り外すことができる。したがって、有孔ボードの裏面４ｂが壁に打ち付けられている場合には、係止部３ａ、３ｂ側には指は届かないが、把持部１側から掛け留め具用係止具１０を取り外すことができる。
【００２８】
前述のように構成された本発明に係る掛け留め具用係止具１０は、有孔ボード４等の孔５ａ、５ｂ、５ｃに掛け留め具用係止具１０の脚部２ａ、２ｂが挿入されると共に、脚部２ａ、２ｂの端部に形成された係止部３ａ、３ｂが、有孔ボード４等の板材の裏面４ｂに当接して係止することから、掛け留め具６ａ、６ｂ、６ｃが有孔ボード４等の板材から外れるのを防ぐことができる。また、外力によって脚部２ａ、２ｂの間隔を狭めた後に、把持部１側を引っ張ることによって、係止部３ａ、３ｂを孔５ａ、５ｂ、５ｃの内部に移動させることができるので、掛け留め具６ａ、６ｂ、６ｃ及び掛け留め具用係止具１０の取り外しを容易に行うことができる。また、掛け留め具用係止具１０を再利用することもできる。
【００２９】
図５は、本考案に係る掛け留め具用係止具の第２実施形態を示す平面図である。第２実施形態の掛け留め具用係止具２０は、掛け留め具を構成する線材の外周を把持する把持部１と、この把持部１の両端部１ａ、１ｂから連続して延出し、有孔ボード等の孔に挿入される２つの脚部２ａ、２ｂと、この２つの脚部２ａ、２ｂの端部１２ａ、１２ｂに形成された２つの係止部３ａ、３ｂとを有している点は、第１実施形態の掛け留め具用係止具１０と同じである。
【００３０】
第２実施形態の掛け留め具用係止具２０の第１実施形態の掛け留め具用係止具１０との相違点は、把持部１の脚部２ａ、２ｂとの境界部分１ａ、１ｂの内側に、突起７ａ、７ｂが形成されている点である。この突起７ａ、７ｂを備えることによって、掛け留め具用係止具２０を取り付けた状態では、掛け留め具を構成する線材が、把持部１から外れるのを防ぐことができる。
【産業上の利用可能性】
【００３１】
本考案の掛け留め具用係止具は、有孔ボード等の孔に挿入されて設置される掛け留め具が、孔から抜け落ちるのを防止するために使用される。
【符号の説明】
【００３２】
１  把持部
１ａ、１ｂ  両端部
２ａ、２ｂ  脚部
３ａ、３ｂ  係止部
４  有孔ボード
４ａ  表面
４ｂ  裏面
５ａ、５ｂ、５ｃ  孔
６ａ、６ｂ、６ｃ  掛け留め具
７ａ、７ｂ  突起
１０、２０  掛け留め具用係止具
１２ａ、１２ｂ  端部
【図１】
0003208838.tif 000003
【図２】
0003208838.tif 000004
【図３】
0003208838.tif 000005
【図４】
0003208838.tif 000006
【図５】
0003208838.tif 000007
【図６】
0003208838.tif 000008